(57)【要約】【課題】居室内で異常が発生した場合、遠隔地にいる第三者に確実に通知することができ、更に双方向の通話を可能とし、確実に異常を通知することが可能なインターホンシステムを提供する。【解決手段】来訪者が居住者を呼び出すための玄関子機と、前記玄関子機の呼び出しに応答して前記来訪者と通話するための居室親機と、前記居室親機に接続又は一体的に設けられる非常、火災、ガス漏れ等の各種異常を検出するための異常検出部とから構成されるインターホンシステムであって、前記居室親機は、前記異常検出部から異常が検出されたときに携帯端末に異常を通知するため当該携帯端末の識別情報を記憶する携帯情報記憶部を備え、前記携帯端末は、前記居室親機から異常通知を受信したとき、他の端末と通話中であっても強制的に当該居室端末と通話を開始するための強制通話操作部と、前記強制通話操作部を操作したとき、前記居室親機と前記携帯電話間の双方向通話路を形成する制御を行う携帯端末ＣＰＵを備えたことを特徴とする。【選択図】図２
2012160801.tif 000002
【特許請求の範囲】
【請求項１】
来訪者が居住者を呼び出すための玄関子機と、前記玄関子機の呼び出しに応答して前記来訪者と通話するための居室親機と、前記居室親機に接続又は一体的に設けられる非常、火災、ガス漏れ等の各種異常を検出するための異常検出部とから構成されるインターホンシステムであって、
前記居室親機は、前記異常検出部から異常が検出されたときに携帯端末に異常を通知するため当該携帯端末の識別情報を記憶する携帯情報記憶部を備え、
前記携帯端末は、前記居室親機から異常通知を受信したとき、他の端末と通話中であっても強制的に当該居室端末と通話を開始するための強制通話操作部と、前記強制通話操作部を操作したとき、前記居室親機と前記携帯電話間の双方向通話路を形成する制御を行う携帯端末ＣＰＵを備えたことを特徴とするインターホンシステム。
【請求項２】
前記携帯情報記憶部は、前記携帯端末の識別情報を複数記憶するものであることを特徴とする請求項１記載のインターホンシステム。
【請求項３】
前記携帯端末には、無線ＬＡＮアクセスポイントを介して通信を行う無線ＬＡＮ通信部と、移動体通信基地局を介して通信を行う移動体通信部の双方を備える通信手段を備え、
前記居室親機は、室内に備えられた前記無線ＬＡＮアクセスポイントと携帯端末の前記無線ＬＡＮ通信部との間で通信が可能なときには、移動体通信基地局の通信範囲内にある携帯端末に表示される前記強制通話操作部の操作を無効とする制御をおこなう居室親機ＣＰＵを備えたことを特徴とする請求項１または２記載のインターホンシステム。
【発明の詳細な説明】
【技術分野】
【０００１】
本発明は、インターホンシステムに係わり、特に居室内で異常を検出した場合、複数の携帯端末に通知することで確実に第三者に異常を通知し、さらに双方向の通話を可能とすることができるインターホンシステムに関する。
【背景技術】
【０００２】
従来、居室内で非常、火災、ガス漏れ等の異常状態となると、インターホンの居室親機及び玄関子機で異常通知がおこなわれるとともに、携帯端末にメール等で通知をおこなうことで遠隔地にいる場合でも異常を知ることができるものであった（例えば、特許文献１）。
【先行技術文献】
【特許文献】
【０００３】
【特許文献１】特開2000-299740号公報
【発明の開示】
【発明が解決しようとする課題】
【０００４】
しかしながら、従来のインターホンシステムにあっては、遠隔地への通知がメールでおこなわれており、それを確認するのにタイムラグが生じてしまう虞があり、迅速な対応をおこなうことができないものであった。
また、携帯端末を呼び出して通話することができる場合であっても、その携帯端末が通話中の場合、圏外にある場合や電源が入っていない場合には対応することができない虞があった。
【０００５】
本発明はこの点に鑑みて提案されたもので、居室内で異常が発生した場合、遠隔地にいる第三者に確実に通知することができ、更に双方向の通話を可能とし、確実に異常を通知することが可能なインターホンシステムを提供することを目的とする。
【課題を解決するための手段】
【０００６】
上述の目的を達成するため、本発明の第１の態様であるインターホンシステムは、来訪者が居住者を呼び出すための玄関子機と、前記玄関子機の呼び出しに応答して前記来訪者と通話するための居室親機と、前記居室親機に接続又は一体的に設けられる非常、火災、ガス漏れ等の各種異常を検出するための異常検出部とから構成されるインターホンシステムであって、前記居室親機は、前記異常検出部から異常が検出されたときに携帯端末に異常を通知するため当該携帯端末の識別情報を記憶する携帯情報記憶部を備え、前記携帯端末は、前記居室親機から異常通知を受信したとき、他の端末と通話中であっても強制的に当該居室端末と通話を開始するための強制通話操作部と、前記強制通話操作部を操作したとき、前記居室親機と前記携帯電話間の双方向通話路を形成する制御を行う携帯端末ＣＰＵを備えたことを特徴とする。
【０００７】
また、本発明の第２の態様であるインターホンシステムは、請求項１において、前記携帯情報記憶部は、前記携帯端末の識別情報を複数記憶するものであることを特徴とする。
【０００８】
また、本発明の第３の態様であるインターホンシステムは、請求項１又は請求項２において、前記携帯端末には、無線ＬＡＮアクセスポイントを介して通信を行う無線ＬＡＮ通信部と、移動体通信基地局を介して通信を行う移動体通信部の双方を備える通信手段を備え、前記居室親機は、室内に備えられた前記無線ＬＡＮアクセスポイントと前記無線ＬＡＮ通信部との間で通信が可能なときには、前記強制通話操作部の操作を無効とする制御をおこなう居室親機ＣＰＵを備えたことを特徴とする。
【発明の効果】
【０００９】
請求項１の発明によれば、携帯端末が他の端末と通話中であっても強制的に居室親機と通話することができるので異常情報を確実に伝達することができる。請求項２の発明によれば、通話中以外で通知できない場合、例えば、携帯端末が電波の届かない場所にあり圏外となっている場合や電源ＯＦＦの場合であっても、同時に他の携帯端末に通知することができるので、より確実に異常情報を伝達することができる。請求項３の発明によれば、室内に通知先である携帯端末があり、当該携帯端末と通信できる場合には、他の携帯端末の強制通話操作部を無効とすることで、遠隔地にいる通知先の人を煩わせる必要がなくなる。
【図面の簡単な説明】
【００１０】
【図１】本発明に係る実施形態であるインターホンシステムのシステム構成図である。
【図２】本発明に係る実施形態であるインターホンシステムの居室親機のブロック図である。
【図３】本発明に係る実施形態であるインターホンシステムの携帯端末のブロック図である
【発明を実施するための形態】
【００１１】
以下、本発明によるインターホンシステムを適用した好ましい形態の実施例について、図を参照して説明する。
図１は、本発明のインターホンシステムのシステム構成図であり、来訪者が居住者を呼び出すため玄関子機１と、来訪者からの呼び出しに応答して通話するための居室親機２と、人体感知センサ、火災感知器、ガス漏れ警報器、生活異変センサ等の異常検知センサ３と、室内若しくは屋外にいる居住者又はその関係者が携行する携帯端末４ａ、４ｂ、４ｃと、当該携帯端末と通信するための無線ＬＡＮアクセスポイント５、通信網６、移動体通信基地局７とから構成されている。
【００１２】
また、居室親機２は、玄関子機１又は携帯端末４ａ、４ｂ、４ｃと通話をするための居室親機通話部２１、玄関子機１のカメラ（図示せず）で撮像した映像を出画するための居室親機表示部２２、通話操作や各種設定等の操作をおこなうための居室親機操作部２３、携帯端末４ａ、４ｂ、４ｃの端末情報を記憶するための携帯情報記憶部２４、異常検知センサ３と通信するためのセンサ検出部２５、玄関子機１と通信をおこなうための第１の通信ＩＦ２６、無線ＬＡＮアクセスポイント５と通信するための第２の通信ＩＦ２７、居室親機２の各部を制御するための居室親機ＣＰＵ２８から構成されている。
【００１３】
更に、携帯端末４（４ａ、４ｂ、４ｃ）は、玄関子機１又は居室親機３と通話をするための携帯端末通話部４１、通話先の情報や電話番号等を表示するための携帯端末表示部４２、通話操作や各種設定等の操作をおこなうための携帯端末操作部４３、携帯端末が通話中に居室親機３から呼び出しがあったときに強制的に居室親機３と通話を開始するための強制通話ボタン４４、携帯端末４の所属するエリア（無線ＬＡＮアクセスポイント５の通信圏内か移動体通信基地局７の通信圏内か）に応じて無線ＬＡＮ通信部４６、移動体通信部４７動体通信部の何れと通話路を形成するかを制御するための通信制御部４５、電波を受信するアンテナ４８、携帯端末４の各部を制御するための携帯端末ＣＰＵ４９から構成されている。
【００１４】
このように構成されたインターホンシステムについて、以下、動作を説明する。なお、来訪者が玄関子機１を操作して居住者を呼び出し、それを確認した居住者が居室親機２で応答して通話する点、呼出時若しくは通話時に玄関子機１で撮像された映像が居室親機２に出画される点については従来と同様であるので説明を省略し、本実施例では異常検知センサ３が異常を検知して携帯端末４（４ａ、４ｂ、４ｃ）に通知する場合について説明する。人体感知センサ、火災感知器、ガス漏れ警報器、生活異変センサ等の異常検知センサ３が異常を検知するとセンサ検出部２５を介して居室親機ＣＰＵ２８に通知する。居室親機ＣＰＵ２８では居室親機通話部２１、居室親機表示部２２から異常が発生したことを通知する。また、居室親機ＣＰＵ２８は、必要に応じて第１の通信ＩＦ２６を介して玄関子機１から警報を発報するように制御する。これを確認した居住者又は通行人が異常状況を確認して対処することができる。
【００１５】
このような状況において、予め携帯情報記憶部２４に複数の端末情報が記憶されている場合には、居室親機ＣＰＵ２８は、上述の異常検知センサ３が異常を検知したことを受信すると携帯情報記憶部２４に記憶された端末情報を読み出して全ての携帯端末４（４ａ、４ｂ、４ｃ）に呼び出し制御をおこなう。具体的には、第２の通信ＩＦ２７を介して携帯端末４（４ａ、４ｂ、４ｃ）を呼び出すための呼出信号を無線ＬＡＮアクセスポイント５に送信する。当該無線ＬＡＮアクセスポイントは室内にある携帯端末４ａ及び通信網６及び移動体通信基地局７を介して屋外にある携帯端末４ｂ、４ｃの呼び出しをおこなう。
【００１６】
各携帯端末４（４ａ、４ｂ、４ｃ）では、当該呼出信号をアンテナ４８を介して受信する。各携帯端末４（４ａ、４ｂ、４ｃ）では、自分の属するエリア（無線ＬＡＮアクセスポイント５の通信圏内か移動体通信基地局７の通信圏内か）に応じて通信制御部４５が通信路を形成しているため携帯端末４ａでは無線ＬＡＮ通信部４６、携帯端末４ｂ、４ｃでは移動体通信部４７を介して上記呼出信号を受信することができる。このとき、呼出信号を受信した携帯端末４（４ａ、４ｂ、４ｃ）が他の端末と通話中である場合には、携帯端末ＣＰＵ４９の制御により強制通話ボタン４４を有効にする制御をおこなう。具体的には、通話中に「ピッ、ピッ、ピッ」といった割り込み音を報音させるとともに携帯端末表示部４２に強制通話ボタン４４が有効であることを表示させる制御をおこなう。
【００１７】
これを確認した携帯端末４（４ａ、４ｂ、４ｃ）を携行している居住者が、強制通話ボタン４４を操作すると、これまで通話していた他の端末との通話を終了するとともに居室親機２との通話路を形成する制御がおこなわれる。携帯端末４ａにあっては、携帯端末通話部４１、携帯端末ＣＰＵ４９、通信制御部４５、無線ＬＡＮ通信部４６、アンテナ４８を介して無線ＬＡＮアクセスポイント５と通信し、居室親機２の居室親機通話部２１と通話をおこなうことができる。また、携帯端末４ｂ、４ｃにあっては、携帯端末通話部４１、携帯端末ＣＰＵ４９、通信制御部４５、移動体通信部４７、アンテナ４８、移動体通信基地局７、通信網６を介して無線ＬＡＮアクセスポイント５と通信し、居室親機２の居室親機通話部２１と通話をおこなうことができる。
【００１８】
このように複数の携帯端末４（４ａ、４ｂ、４ｃ）に対して呼び出しをおこなうため、携帯端末４（４ａ、４ｂ、４ｃ）の何れかが電源OFFとなっていたり、電波の届かない圏外にいる場合であっても他の携帯端末と通信することで対応を確実におこなうことができる。
【００１９】
なお、携帯端末４ａのように１乃至複数の無線ＬＡＮアクセスポイント５のうち室内に備えられた無線ＬＡＮアクセスポイント５の通信圏内にいる端末に呼び出しがおこなわれ、通話を開始できる状態であれば、居室親機ＣＰＵ２８の制御により移動体通信基地局７の通信範囲内にある携帯端末４ｂ、４ｃに表示される強制通話操作部４４の操作を無効とする、若しくは表示をおこなわないように制御をおこなうこともできる。これにより、近くにいる人が対応することができるので、遠隔地にいる通知先の人を煩わせる必要がなくなる。
【符号の説明】
【００２０】
１・・・           玄関子機
２・・・           居室親機
２１・・・              居室親機通話部
２２・・・              居室親機表示部
２３・・・              居室親機操作部
２４・・・              携帯情報記憶部
２５・・・              センサ検出部
２８・・・              居室親機ＣＰＵ
３・・・           異常検知センサ
４・・・           携帯端末
４１・・・              携帯端末通話部
４２・・・              携帯端末表示部
４３・・・              携帯端末操作部
４４・・・              強制通話ボタン
４５・・・              通信制御部
４６・・・              無線ＬＡＮ通信部
４７・・・              移動体通信部
４８・・・              アンテナ
４９・・・              携帯端末ＣＰＵ
５・・・           無線ＬＡＮアクセスポイント
６・・・           通信網
７・・・           移動体通信基地局
【図１】
2012160801.tif 000003
【図２】
2012160801.tif 000004
【図３】
2012160801.tif 000005